(57)【要約】【課題】耐久性、耐候性が高く、長期の使用が可能なプランターを提供する。【解決手段】植物を植える開口部を有する枠部材１２と、枠部材１２の中にはめ込まれ天然繊維で作られた植込容器２４を有する。枠部材１２の側面及び底面はメッシュ部材２０で作られ、メッシュ部材２０のメッシュの細かさは、植込容器２４の繊維間の空間よりも粗く、植込容器２４の最外周に位置する繊維の自由端の長さより細かい。且つ、メッシュ部材２０のメッシュ内には、少なくとも部分的に水分が表面張力により保持可能である。【選択図】図１
0003127287.tif 000002
【実用新案登録請求の範囲】
【請求項１】
植物を植える開口部を有する枠部材と、前記枠部材の中にはめ込まれ天然繊維で作られた植込容器が設けられ、前記枠部材の側面及び底面はメッシュ部材で作られ、前記メッシュ部材の細かさは、前記植込容器の繊維間の空間よりも粗く、前記植込容器の最外周に位置する繊維間の間隔より細かく、且つ前記メッシュ内には少なくとも部分的に水分が表面張力により保持可能なメッシュであることを特徴とするプランター。
【請求項２】
前記枠部材は、前記枠部材の開口縁を形成する上枠と、底面周縁部を形成する下枠と、前記上枠と下枠を連結する縦枠が設けられ、前記上枠と下枠の間と、前記下枠の内側に、前記メッシュ部材が張り付けられていることを特徴とする請求項1記載のプランター。
【請求項３】
前記天然繊維はココナッツファイバーであり、前記植込容器はココナッツファイバーシートをテグスで縫い合わせて、前記枠部材の内側に嵌合される形状に作られていることを特徴とする請求項1記載のプランター。
【請求項４】
前記メッシュ部材は、金属に樹脂コーティングしたものであることを特徴とする請求項1記載のプランター。
【考案の詳細な説明】
【技術分野】
【０００１】
この考案は、植物を植えて飾るプランターに関する。
【背景技術】
【０００２】
近年、園芸用品が多種多様になり、植物を植えるプランターも、いろいろな素材で作られたものがある。また、異なる素材を組み合わせて作られたプランターも提供され、例えば図２に示すように、ココナッツファイバーシートと金属を組み合わせたプランター１がある。これは半円形の鉢形に組み立てられた金属製の枠部材２を有し、枠部材２には半円形で大きい径の上枠３と小さい径の下枠４が上下に互いに平行に設けられ、その中間には、中間の径の中枠５が設けられている。上枠３、中枠５、下枠４には、各枠に交差して縦枠６が設けられ、保持されている。上枠３の直線部分には、釣り下げ用の吊下部７が上方に突出して形成されている。上枠３、中枠５、下枠４、縦枠６で組み立てられた枠部材２の内側には、ココナッツファイバーシートで作られた有底の植込容器８が入れられている。
【０００３】
このプランター１は、軽くて通気性も良く、天然素材の風合いがあり、外観も良好であり、簡単にハンギングプランターとして吊り下げて観賞することができる。
【特許文献１】特開２００５−１８５７３５号公報
【考案の開示】
【考案が解決しようとする課題】
【０００４】
上記従来のプランター１の場合、通気性が良いため中の土が乾燥しすぎて、潅水の回数を多くする必要があり、肥料の流出が多く通常の３倍程度必要であった。また、植込容器８のココナッツファイバーシートは耐候性が、約半年程度で弱いという問題があった。紫外線や風雨の影響でココナッツファイバーシートがほつれ、枠部材２からほつれたココナッツファイバー９が飛び出してぼさぼさになり、外観があまりよくなかった。また、ココナッツファイバーシートの繊維同士の連結が緩くなって隙間が広くなることから水分が蒸発しやすくなり、保湿性が低下し通気性が高すぎるようになる。このため、このような状態になると、植物の生育に必要な水分が不足し、植物の生育に支障がでる。
【０００５】
この考案は、上記従来の技術の問題点に鑑みてなされたものであり、耐久性、耐候性が高く、長期の使用が可能なプランターを提供することを目的とする。
【課題を解決するための手段】
【０００６】
本考案は、植物を植える開口部を有する枠部材と、前記枠部材の中にはめ込まれ天然繊維で作られた植込容器が設けられているプランターである。前記枠部材の側面及び底面はメッシュ部材で作られ、前記メッシュ部材の細かさは、前記植込容器の繊維間の空間よりも粗く、前記植込容器の最外周に位置する繊維間の間隔より細かく、且つ前記メッシュ内には少なくとも部分的に水分が表面張力により保持可能なメッシュである。
【０００７】
また、前記枠部材は、前記枠部材の開口縁を形成する上枠と、底面周縁部を形成する下枠と、前記上枠と下枠を連結する縦枠が設けられている。前記上枠と下枠の間と、前記下枠の内側に、前記メッシュ部材が張り付けられている。
【０００８】
また、前記天然繊維はココナッツファイバーであり、前記植込容器はココナッツファイバーシートをテグスで縫い合わせて、前記枠部材の内側に嵌合される形状に作られている。そして、前記メッシュ部材は、金属に樹脂コーティングしたものである。
【考案の効果】
【０００９】
本考案のプランターは、天然素材で作られた植込容器をメッシュ部材で保持しているので、適度な通気性があるとともに、メッシュ部材の表面張力で適度な保水性、保肥性があり、しかも耐久性と耐候性に優れ長期間の使用が可能なものである。さらに、従来のココナッツファイバーを用いたプランターの良い点を残し、自然の風合いが良好であり、メッシュ部材により天然繊維の乾燥を抑え、頻繁な水やりを行わなくても良い。また、メッシュ部材により防虫効果もある。従って、長期間の使用でも通気性が高くなりすぎたり、ココナッツファイバーが破損したりすることがなく、保水性も低下せず植物に必要な水分を保持することができ、植物が良好に生育する。
【考案を実施するための最良の形態】
【００１０】
以下、この考案の実施形態について図面に基づいて説明する。図１はこの考案の一実施形態を示すもので、柵やフックに吊下げるハンギング式のプランター１０である。この実施形態のプランター１０は、半円形の鉢形に形成された枠部材１２を有し、枠部材１２は金属製で、合成樹脂のコーティングが施されている。枠部材１２には、半円形で大きい径の上枠１４と小さい径の下枠１６が上下に互いに平行に設けられている。上枠１４と下枠１６の間には、上枠１４、下枠１６の各々直線と曲線が交差する一対の角部同士を連結して縦枠１８が設けられている。上枠１４の直線部分には、釣り下げ用の吊下部２２が上方に突出して形成されている。吊下部２２は、環状に折り曲げられた金属棒で作られ、上枠１４との間には補強と飾りを兼ねた複数本の金属棒が一体に取り付けられている。
【００１１】
枠部材１２の、上枠１４と下枠１６の間の側面にはメッシュ部材２０が張り付けられ、側面１２ａを形成している。下枠１６の内側にもメッシュ部材２０が張り付けられ、底面１２ｂを形成している。メッシュ部材２０の目の細かさは、全体として、後述する植込容器２４のココナッツファイバーシートの繊維間の空間よりも粗く、植込容器２４の一番外側に露出した繊維の自由端の長さや、最外周の繊維間間隔より細かいものが使用されている。さらに、メッシュ部材２０のメッシュ内には少なくとも部分的に水分が表面張力により保持可能に、メッシュ部材２０の目の細かさが設定されている。
【００１２】
枠部材１２の内側には、有底の植込容器２４が入れられている。植込容器２４は、ココナッツファイバー２３をシート状にしたココナッツファーバーシートで作られ、枠部材１２の側面１２ａと底面１２ｂの内周面にほぼぴったりにはまる有底の半円筒形状であり、ココナッツファイバーシートを所定形状にカットしてテグスで縫い合わせて作られている。植込容器２４の一番外側に位置する繊維が、メッシュ部材２０に当接し、メッシュ部材２０は一番外側に位置する繊維の目の空間より細かいため、メッシュ部材２０の目から外側に突出するココナッツファイバーは少なく、大部分は内側に重ねて収められている。
【００１３】
この実施形態のプランター１０の使用方法は、植込容器２４の内側に培地を入れ、植物を植える。そしてプランター１０を地面に直接置くか、または柵やフックに吊下部２２を吊下げて飾る。植込容器２４は、ココナッツファイバーシートの繊維間の空間よりもメッシュ部材２０の目が粗く形成されているため、余分な水分が植込容器２４から染み出した場合は、メッシュ部材２０を水が容易に通過して排除される。また、適当な通気性が確保される。
【００１４】
この実施形態のプランター１０によれば、植込容器２４のココナッツファイバーシートが枠部材１２のメッシュ部材２０の内側に接触してほつれにくいため、耐久性、耐候性が高く、長期の使用が可能である。枠部材１２の側面１２ａと底面１２ｂがメッシュ部材２０で形成されているため、ココナッツファイバー２３が側方と下方のいずれからもほつれたりすることがなく、外観が良好である。屋外で使用する場合は、紫外線や風雨の影響で天然素材のココナッツファイバーシートが劣化してココナッツファイバー２３同士の連結が弛むことがあるが、メッシュ部材２０で押さえられているため、繊維間が広がったり、ココナッツファイバー２３が落下して減少することを防ぐ。しかも、メッシュ部材２０のメッシュ内に水分を表面張力により保持可能であり、保水性を高めるとともに水分の蒸発を抑える。これにより、植物の生育に必要な水分を保持し、良好な環境となり、頻繁な水やりも必要ない。また、プランター１０は、２〜３年程度の耐久性と耐候性を有するため、数年に亘って使用することができ経済的である。底面１２ｂにメッシュ部材２０が設けられているため、地面に置いても直接植込容器２４が地面に着かず、汚れを防ぎ、適度な通気性を確保することができる。メッシュ部材２０はデザイン的にも良好である。
【図面の簡単な説明】
【００１５】
【図１】この考案の一実施形態のプランターの斜視図である。
【図２】従来の技術のプランターの斜視図である。
【符号の説明】
【００１６】
１０  プランター
１２  枠部材
１４  上枠
１６  下枠
１８  縦枠
２０  メッシュ部材
２２  吊下部
２３  ココナッツファイバー
２４  植込容器
【図１】
0003127287.tif 000003
【図２】
0003127287.tif 000004
【手続補正書】
【提出日】平成18年9月21日(2006.9.21)
【手続補正１】
【補正対象書類名】実用新案登録請求の範囲
【補正対象項目名】請求項１
【補正方法】変更
【補正の内容】
【請求項１】
植物を植える開口部を有する枠部材と、前記枠部材の中にはめ込まれ天然繊維で作られた植込容器が設けられ、前記枠部材の側面及び底面はメッシュ部材で作られ、前記メッシュ部材のメッシュの目の細かさは、前記植込容器の繊維間の空間よりも粗く、前記植込容器の最外周に位置する繊維間の間隔より細かく、且つ前記メッシュ部材内には少なくとも部分的に水分が表面張力により保持可能な前記メッシュの目を備えることを特徴とするプランター。
【手続補正２】
【補正対象書類名】明細書
【補正対象項目名】０００６
【補正方法】変更
【補正の内容】
【０００６】
本考案は、植物を植える開口部を有する枠部材と、前記枠部材の中にはめ込まれ天然繊維で作られた植込容器が設けられているプランターである。前記枠部材の側面及び底面はメッシュ部材で作られ、前記メッシュ部材のメッシュの目の細かさは、前記植込容器の繊維間の空間よりも粗く、前記植込容器の最外周に位置する繊維間の間隔より細かく、且つ前記メッシュ部材内には少なくとも部分的に水分が表面張力により保持可能な前記メッシュの目を備える。